(57)【要約】【課題】洗濯後にフィルタ体を変形させることなく乾燥できるフィルタ装置を提供する。【解決手段】フィルタ体３２に係合孔４５を貫通して形成する。フィルタ体３２をフィルタ枠体３１に着脱可能に取り付ける。フィルタ体３２をフィルタ枠体３１に取り付けた際に係合孔４５に嵌合して閉塞するボス４２をフィルタ枠体３１に突出形成する。掃除の際には、係合孔４５をボス４２で閉塞するとともにフィルタ体３２がフィルタ枠体３１の所定位置に位置してフィルタ体３２で吸込風から確実に塵埃を捕捉する。フィルタ体３２を洗濯する際には、フィルタ枠体３１からフィルタ体３２を取り外して、係合孔４５にフックを係合させて吊るして乾燥する。フィルタ体３２を変形させることなく乾燥できる。【選択図】　　　　図１
2004135797.tif 000002
【特許請求の範囲】
【請求項１】
枠体と、
貫通した係合孔を備え、前記枠体に着脱可能に取り付けられて塵埃を捕捉するフィルタ体と、
前記枠体に設けられ、前記フィルタ体を前記枠体に取り付けた際に前記係合孔に嵌合してこの係合孔を閉塞する突部と
を具備したことを特徴としたフィルタ装置。
【請求項２】
枠体と、
貫通した係合孔を備え、互いに重ねた状態で前記枠体に着脱可能に取り付けられて塵埃を捕捉する複数のフィルタ体とを具備し、
前記各フィルタ体の係合孔は、前記各フィルタ体を前記枠体に取り付けた際に他のフィルタ体に覆われる
ことを特徴としたフィルタ装置。
【請求項３】
複数のフィルタ体は略同形状に形成され、各フィルタ体の係合孔は、それぞれ互いに非対称な位置に設けられた
ことを特徴とした請求項２記載のフィルタ装置。
【請求項４】
電動送風機を備えた掃除機本体と、
前記電動送風機の吸込側に連通して前記掃除機本体に取り付けられた請求項１ないし３記載のいずれか一のフィルタ装置とを具備した
ことを特徴とした電気掃除機。
【発明の詳細な説明】
【０００１】
【発明の属する技術分野】
本発明は、塵埃を捕捉するフィルタ体を有するフィルタ装置およびこれを備えた電気掃除機に関する。
【０００２】
【従来の技術】
従来、この種の電気掃除機は、上端面に排気口を有する集塵カップを備えている。この集塵カップの排気口には、略円筒状の嵌合部が設けられている。この嵌合部の上方には、電動送風機の吸込側と連通する枠部が取り付けられている。さらに、これら嵌合部と枠部との間には、例えばウレタンなどの合成樹脂で形成されたフィルタ体が着脱可能に取り付けられている。このフィルタ体は、嵌合部および枠部から取り外して水洗い、すなわち洗濯可能である。そして、このフィルタ体が例えば目詰まりなどを起こした際には、このフィルタ体を洗濯して塵埃を除去し、洗濯ばさみなどで摘んで吊るして乾燥させる。この後、このフィルタ体を再び嵌合部と枠部との間に取り付けて使用する（例えば、特許文献１参照。）。
【０００３】
【特許文献１】
特開２００２−１７６２６号公報（第５頁、図１１）
【０００４】
【発明が解決しようとする課題】
しかしながら、上述のフィルタ装置では、乾燥の際に洗濯ばさみなどで摘んで吊るすと、この洗濯ばさみなどから加わる外力によりフィルタ体が変形し、乾燥後もこの変形状態が維持されるおそれがあり、フィルタ体が破損しやすい等の問題点を有している。
【０００５】
本発明はこのような点に鑑みなされたもので、フィルタ体の変形を抑えることができるフィルタ装置およびこれを備えた電気掃除機を提供することを目的とする。
【０００６】
【課題を解決するための手段】
本発明のフィルタ装置は、貫通した係合孔を備え、枠体に着脱可能に取り付けられて塵埃を捕捉するフィルタ体と、枠体に設けられ、フィルタ体を枠体に取り付けた際に係合孔に嵌合してこの係合孔を閉塞する突部とを具備したものである。そして、掃除の際には、突部が係合孔に嵌合して閉塞されるとともにフィルタ体が枠体の所定位置に位置してフィルタ体で流動体から確実に塵埃を捕捉し、フィルタ体を枠体から取り外して洗う際には、貫通する係合孔にフックなどを係合させて吊るして乾燥させることで、フィルタ体を確実に係合できるばかりでなく、フィルタ体を変形させることなく乾燥することが可能になる。
【０００７】
また、本発明のフィルタ装置は、貫通した係合孔を備え、互いに重ねた状態で枠体に着脱可能に取り付けられて塵埃を捕捉する複数のフィルタ体とを具備し、各フィルタ体の係合孔は、各フィルタ体を枠体に取り付けた際に他のフィルタ体に覆われるものである。そして、掃除の際には、フィル体が互いに重ねられて、複数のフィルタ体に亘って貫通する係合孔が形成されないので、フィルタ体を枠体から取り外して洗う際には、貫通する係合孔にフックなどを係合させて吊るして乾燥させることで、フィルタ体を確実に係合できるばかりでなく、フィルタ体を変形させることなく乾燥することが可能になる。
【０００８】
【発明の実施の形態】
以下、本発明の電気掃除機の第１の実施の形態の構成を図１ないし図５を参照して説明する。
【０００９】
図４および図５において、１は電気掃除機であり、この電気掃除機１は、流動体としての空気である吸込風を旋回させてこの吸込風に含まれる塵埃を遠心分離するキャニスタ型のサイクロン式掃除機である。また、この電気掃除機１は、中空な本体ケース２を有する掃除機本体３を備えている。本体ケース２は、ケース体４と蓋体５とを備えている。この蓋体５は、ケース体４の上部に後部が連結されており、ケース体４に対する回動によりケース体４の上部を開放可能に覆って取り付けられている。さらに、ケース体４内の後側には、電動送風機６が収容されている。
【００１０】
またさらに、ケース体４の両側には、電動送風機６の排気側に連通して開口した複数の排気口７が穿設されている。そして、本体ケース２の蓋体５の上面には、ハンドル８が設けられている。
【００１１】
また、ケース体４の両側後部下側には、走行輪１１がそれぞれ回転可能に軸支されている。さらに、ケース体４の底面部の前側中央には、この底面部の面方向に沿って旋回可能であるとともに、この旋回方向に直交する方向に回転可能な車輪である旋回輪１２が設けられている。よって、これら走行輪１１および旋回輪１２のそれぞれにより、掃除機本体３が被掃除面としての床面を走行可能となる。
【００１２】
またさらに、本体ケース２の蓋体５の前側には、前方に向けて開口した本体吸込口１３が設けられている。そして、本体吸込口１３の基端側には、下方に向けて円筒を屈曲させた中空なＬ字状の吸気管１４の吸込側が連通されている。また、この吸気管１４の排気側には、本体ケース２のケース体４内における前側に塵埃分離部１５が着脱可能に取り付けられている。
【００１３】
この塵埃分離部１５は、吸気管１４の排気側に連通された集塵部としての略有底円筒状のダストカップ２１を備えている。このダストカップ２１は、上端部が開口しており、電動送風機６により空気とともに吸い込んだ塵埃を旋回させて、この塵埃を自重による遠心分離にて内部に落下させて集塵する。また、このダストカップ２１の外側面には、ハンドル部２２が一体的に設けられている。
【００１４】
そして、ダストカップ２１の上端部の開口には、このダストカップ２１内に吸い込まれた吸込風をこのダストカップ２１内において旋回させるサイクロン部２３が着脱可能に嵌合されて取り付けられている。このサイクロン部２３は、フィルタ装置２４およびこのフィルタ装置２４が着脱可能に取り付けられるメッシュ体２５にて構成されている。
【００１５】
ここで、フィルタ装置２４は、メッシュ体２５の上部に着脱可能に取り付けられる枠体としてのフィルタ枠体３１およびこのフィルタ枠体３１の内側に着脱可能に取り付けられるフィルタ体３２を備えている。
【００１６】
また、フィルタ枠体３１の内部の一側面には、半円弧状の区画リブ３３がフィルタ枠体３１と一体に水平に形成されている。この区画リブ３３は、フィルタ枠体３１の中心軸に向かって、フィルタ枠体３１の内径寸法の３分の１程度突出して湾曲している。さらに、この区画リブ３３は、フィルタ枠体３１の底面から上端に亘って形成されており、上面がフィルタ枠体３１の上面と略面一になっている。
【００１７】
またさらに、フィルタ枠体３１の底面における区画リブ３３およびフィルタ枠体３１の内側面に囲まれた略半円形状の部分は、フィルタ枠体３１を上下方向に貫通した集気開口３４となっている。そして、この集気開口３４は、ダストカップ２１内に旋回流を生じさせるようにフィルタ枠体３１の中心から偏位して形成され、フィルタ枠体３１を本体ケース２内に取り付けた際に、吸気管１４の排気側であるこの吸気管１４の下端に区画リブ３３の上端が気密に当接することにより、吸気管１４の排気側に連通する。
【００１８】
また、フィルタ枠体３１の底面における区画リブ３３の外方には、複数、例えば８つの底面開口３５が貫通して形成されている。これら底面開口３５は、この区画リブ３３の両側に３つずつ、区画リブ３３の突出前方であるフィルタ枠体３１の底面の略中心域に２つ、それぞれ区画リブ３３の突出方向およびこの突出方向に直交する方向に沿って格子状に形成されている。
【００１９】
このため、フィルタ枠体３１の底面は、この底面の外周に沿った円周状の外枠リブ３６および格子状の格子リブ３７となっている。この格子リブ３７は、区画リブ３３の突出方向に複数列、例えば２列、区画リブ３３の突出方向と略直交する方向に複数列、例えば２列、直線状に形成され、それぞれ互いに平行に離間されている。
【００２０】
さらに、フィルタ枠体３１の平面視の中心について集気開口３４と反対側の底面開口３５内には、外枠リブ３６からフィルタ枠体３１の中心軸方向に半円形状に突出した突出台部４１が形成されている。この突出台部４１は、フィルタ枠体３１の底面と略面一に水平に形成されている。またさらに、この突出台部４１は、区画リブ３３の突出寸法の半分程度、底面開口３５の中心に向かって区画リブ３３に対向して突出している。
【００２１】
そして、この突出台部４１の上面の略中心には、突部としての略円柱状のボス４２が垂直に上方に突出して形成されている。このボス４２は、区画リブ３３の突出方向に沿った平面視の中心線Ｃ１上に中心が位置している。また、このボス４２の上側は、上方に向かって縮径した円錐状に形成されている。さらに、このボス４２の上端部は、フィルタ枠体３１の上端部よりも若干下側に位置している。
【００２２】
またさらに、フィルタ枠体３１の上端の外周全体には、円形状の枠体フランジ部４３がフィルタ枠体３１の外方に突出して一体に形成されている。この枠体フランジ部４３は、フィルタ枠体３１をメッシュ体２５の上部に取り付けた際にこのメッシュ体２５に係合してフィルタ装置２４をメッシュ体２５に係止する。
【００２３】
そして、フィルタ枠体３１は、中心線Ｃ１についてボス４２を含めて線対称な形状に形成されている。
【００２４】
一方、フィルタ体３２は、例えばウレタンなどの合成樹脂にてスポンジ状に形成されており、フィルタ枠体３１の上側から内側に着脱可能に取り付けられる。このフィルタ体３２は、ダストカップ２１内で塵埃を遠心分離された吸込風が通過し、ダストカップ２１内で遠心分離できなかった微細な塵埃などをこの吸込風から捕捉する。また、このフィルタ体３２の一側部には、区画リブ３３の外形に沿った半円形状の嵌合部４４が切り欠き形成されている。このため、フィルタ体３２はフィルタ枠体３１の内側に沿った平面視略凹字状に形成されている。
【００２５】
そして、フィルタ体３２の厚さ寸法は、フィルタ枠体３１の底面から上端までの高さ寸法と略等しく形成されている。したがって、フィルタ体３２は、図２に示すように、フィルタ枠体３１に取り付けられた状態で上面がフィルタ枠体３１の上面と略面一になっている。
【００２６】
また、フィルタ体３２には、図１ないし図３に示すように、係合孔４５が厚さ方向に貫通して形成されている。この係合孔４５は、ボス４２の外径寸法よりも若干小さい内径寸法を有する円形状に形成されている。さらに、この係合孔４５は、嵌合部４４の重心およびフィルタ体３２の平面視の中心を通る中心線Ｃ２上における、フィルタ体３２の外周寄りの位置に形成されている。すなわち、係合孔４５は、中心線Ｃ２上に中心が位置するとともに、フィルタ体３２の略中心域からずれた位置、かつフィルタ体３２の周縁近傍に形成されている。またさらに、フィルタ体３２における係合孔４５が形成された位置は、フィルタ枠体３１の内側にフィルタ体３２を取り付けた際にボス４２に対応する位置になっている。そして、フィルタ体３２は、係合孔４５を含めて中心線Ｃ２について線対称な形状に形成されている。
【００２７】
したがって、フィルタ体３２をフィルタ枠体３１の内側に取り付けた際に、区画リブ３３の外側面が嵌合部４４に嵌合し、かつボス４２が係合孔４５に嵌合して、フィルタ体３２がフィルタ枠体３１に対して位置決めされるとともに、係合孔４５がボス４２により閉塞される。
【００２８】
またさらに、フィルタ体３２の上部は、電動送風機６の吸込側に吸込風路４６を介して連通している。このため、フィルタ装置２４が電動送風機６の吸込側に連通している。
【００２９】
そして、メッシュ体２５は、図５に示すように、略有底円筒状に形成されている。また、このメッシュ体２５の一側部には、フィルタ枠体３１の集気開口３４の排気側に連通する半円形状の連通開口５１が貫通して形成されている。この連通開口５１は、本体吸込口１３から吸い込まれた吸込風を旋回風にしてダストカップ２１内へと導く。
【００３０】
さらに、このメッシュ体２５の底面には、このメッシュ体２５よりも径小の有底円筒状のメッシュ部５２が同心状に一体に設けられている。このメッシュ部５２は、網状に形成されており、メッシュ体２５の下方に突出している。またさらに、このメッシュ部５２は、ダストカップ２１内で塵埃を遠心分離された吸込風が通過し、この吸込風が通過する際にダストカップ２１内で捕捉できなかったこの吸込風に含まれる塵埃を捕捉して集塵する。そして、このメッシュ部５２の上側は、フィルタ装置２４のフィルタ枠体３１の中心域の底面開口３５に連通している。
【００３１】
また、メッシュ体２５の上側の外周全体には、円形状の係止段部５３がメッシュ体２５と一体に形成されている。この係止段部５３には、メッシュ体２５にフィルタ装置２４を取り付けた際にフィルタ装置２４のフィルタ枠体３１の枠体フランジ部４３が載置されて係合し、フィルタ装置２４をメッシュ体２５上に係止する。そして、メッシュ体２５は、フィルタ装置２４を取り付けた状態でダストカップ２１内に取り付けられて固定される。
【００３２】
また、本体ケース２の本体吸込口１３には、可撓性を有する細長円筒状のホース体６１、伸縮可能な延長管６２および吸込口体としての床ブラシ６３が順次連通接続される。さらに、ホース体６１の先端部には、略く字状に屈曲し、床ブラシ６３を移動させるための手許操作部６４が設けられている。この手許操作部６４の軸方向における中間部の上側には、略円筒状の把持部６５が一体的に設けられている。そして、この把持部６５より先端側の手許操作部６４の上側面には、電動送風機６などの動作モードを設定する複数の各種の設定ボタン６６が互いに離間されて並設されている。
【００３３】
次に、上記第１の実施の形態の組み立て動作を説明する。
【００３４】
まず、フィルタ体３２をフィルタ枠体３１の内側に着脱可能に取り付ける。このとき、フィルタ体３２の嵌合部４４および係合孔４５をそれぞれフィルタ枠体３１の区画リブ３３の外側およびボス４２に嵌合させる。
【００３５】
このため、フィルタ体３２がフィルタ枠体３１の所定位置に位置して係止固定されフィルタ装置２４が形成される。
【００３６】
この後、フィルタ装置２４のフィルタ枠体３１をメッシュ体２５の上部に着脱可能に取り付けてサイクロン部２３を形成する。
【００３７】
このサイクロン部２３をダストカップ２１の上端部の開口に嵌着して、塵埃分離部１５を形成する。
【００３８】
そして、本体ケース２の蓋体５をケース体４に対して回動させ、塵埃分離部１５をケース体４に取り付けた後、蓋体５を閉じて掃除機本体３を形成する。
【００３９】
次に、上記第１の実施の形態の掃除動作を説明する。
【００４０】
まず、掃除機本体３の本体吸込口１３にホース体６１、延長管６２および床ブラシ６３を順次連通接続する。
【００４１】
次いで、手許操作部６４の設定ボタン６６のいずれかをオンして電動送風機６を駆動させると、床ブラシ６３から塵埃とともに空気が吸い込まれる。
【００４２】
この塵埃を含んだ空気は吸込風となり、延長管６２、ホース体６１、本体吸込口１３および吸気管１４を介して掃除機本体３内の塵埃分離部１５内へと吸い込まれる。
【００４３】
そして、この塵埃分離部１５内へと吸気された吸込風は、集気開口３４および連通開口５１を通過し、この連通開口５１によりダストカップ２１内で渦巻き状に回転し、この吸込風に含まれる塵埃がダストカップ２１内で遠心分離される。
【００４４】
この塵埃を遠心分離された吸込風は、メッシュ体２５のメッシュ部５２を通過し、ダストカップ２１内で遠心分離できなかった塵埃をこのメッシュ部５２により捕捉される。
【００４５】
さらに、このメッシュ部５２を通過した吸込風は、フィルタ枠体３１の底面開口３５を介してフィルタ体３２の略中心域を通過する。
【００４６】
このとき、ダストカップ２１およびメッシュ部５２により捕捉できなかった吸込風に含まれる塵埃を、フィルタ体３２により捕捉する。
【００４７】
このフィルタ体３２を通過した吸込風は、吸込風路４６を介して電動送風機６内へと吸い込まれ、この電動送風機６を通過して排気風になると、本体ケース２の排気口７から本体ケース２の外部へと排気される。
【００４８】
次に、上記第１の実施の形態の取り扱い方法を説明する。
【００４９】
フィルタ体３２が塵埃により目詰まりした際などには、蓋体５をケース体４に対して回動させ、塵埃分離部１５を本体ケース２から取り外す。
【００５０】
次いで、フィルタ体３２をフィルタ枠体３１から取り外し、フィルタ体３２を水洗い、すなわち洗濯して目詰まりした塵埃などを除去する。
【００５１】
そして、図３に示すように、略Ｓ字状の一般的な吊るし金具であるフック７１の一端側を、塵埃を除去したフィルタ体３２の係合孔４５に係合させ、このフック７１の他端側の湾曲した部分を、物干し竿などの被吊下体７２に係合させて吊るし、水分を乾燥させる。
【００５２】
この後、水分を乾燥させたフィルタ体３２をフィルタ枠体３１に取り付け、再び使用する。
【００５３】
上述したように、上記第１の実施の形態によれば、フック７１を係合可能な係合孔４５をフィルタ体３２に貫通して形成し、かつこのフィルタ体３２をフィルタ枠体３１に取り付けた際に、係合孔４５を閉塞するボス４２をフィルタ枠体３１に突出して形成する。このため、従来フィルタ体３２を洗濯した際には、洗濯ばさみなどで摘んで吊るして乾燥させることで洗濯ばさみなどからの外力によりフィルタ体３２が潰れて変形していたが、上記第１の実施の形態によれば、フィルタ体３２をフィルタ枠体３１から取り外して洗濯した際に、係合孔４５にフック７１などを係合させて被吊下体７２などに吊るして乾燥させることで、このフィルタ体３２を変形させることなく水分を乾燥できる。
【００５４】
したがって、フィルタ体３２を変形させることなく吊るすための特殊な道具などが必要なく、フィルタ体３２を手軽、かつ安価に乾燥できる。
【００５５】
しかも、フィルタ体３２が潰れて変形しないため、このフィルタ体３２とフィルタ枠体３１との間に隙間などが形成されないとともに、フィルタ体３２自体の集塵性能が低下しないので、フィルタ装置２４の集塵性能が低下することがない。そして、係合孔４５はフィルタ体３２をその厚み方向に貫通して形成されているので、フック７１を確実に係合、すなわち引っ掛けておくことができ、乾燥させる際にフィルタ体３２が不用意に落下することがない。
【００５６】
また、掃除の際には、ボス４２が係合孔４５に嵌合して確実に閉塞されるとともに、フィルタ体３２がフィルタ枠体３１の所定位置に位置するため、フィルタ体３２により吸込風から確実に塵埃を捕捉できる。
【００５７】
さらに、ダストカップ２１内で塵埃を遠心分離された吸込風は、メッシュ体２５のメッシュ部５２を通過した後、フィルタ体３２の略中心域を通過するため、係合孔４５をフィルタ体３２の外周寄りに形成したことで、吸込風が係合孔４５の近傍を殆ど通過せず、フィルタ体３２の集塵性能の低下を防止できる。
【００５８】
またさらに、係合孔４５の内径寸法をボス４２の外径寸法よりも若干小さくしたことにより、ボス４２により係合孔４５を確実に閉塞できるとともに、フィルタ枠体３１にフィルタ体３２を確実に係止できる。
【００５９】
そして、ボス４２の上端部を上方に向かって縮径した円錐状にしたため、ボス４２の外径寸法よりも若干小さい係合孔４５に対しても、ボス４２を容易かつ確実に嵌合できる。
【００６０】
また、フィルタ体３２は、係合孔４５を含めて中心線Ｃ２について対称であるため、このフィルタ体３２をフィルタ枠体３１に裏表なく取り付けでき、フィルタ体３２をフィルタ枠体３１に容易に取り付けできる。
【００６１】
さらに、フィルタ体３２の変形を抑えることができるため、フィルタ体３２の乾燥後に変形状態が維持されてこのフィルタ体３２が破損することなどを確実に防止できる。
【００６２】
なお、上記第１の実施の形態において、区画リブ３３の形状、ボス４２の形状および形成する位置などは、フィルタ装置２４による集塵性能が低下しない形状および位置などであれば、上記構成に限定されるものではない。
【００６３】
次に、本発明の電気掃除機の第２の実施の形態を図６および図７を参照して説明する。
【００６４】
この図６および図７に示す実施の形態は、図１ないし図５に示す実施の形態と基本的に同様の構成を有しているが、フィルタ装置２４は、複数、例えば２枚のフィルタ体７３を備えている。これらフィルタ体７３は、図１ないし図５に示す実施の形態のフィルタ体３２の約半分程度の厚さ寸法に、フィルタ体３２と同様の合成樹脂などにて形成されている。
【００６５】
さらに、フィルタ体７３には、フィルタ体３２と同様に、フィルタ枠体３１の区画リブ３３の外形に沿った略半円形状の嵌合部７４が切り欠き形成され、平面視略凹状に形成されている。またさらに、フィルタ体７３には、比較的小径の係合孔７５が厚さ方向に貫通して形成されている。この係合孔７５は、嵌合部７４の重心およびフィルタ体７３の平面視の中心を通る中心線Ｃ３の側方に形成されている。すなわち、係合孔７５は、中心線Ｃ３上に中心および外周が位置していない。また、この係合孔７５は、フィルタ体７３の外周寄りの位置に形成されている。したがって、係合孔７５は、フィルタ体７３の略中心域からずれた位置、かつフィルタ体７３の周縁近傍に形成されている。そして、フィルタ体７３自体は、係合孔７５を含めると中心線Ｃ３について非線対称な形状に形成されている。
【００６６】
さらに、フィルタ体７３は、２枚重ねてフィルタ枠体３１に取り付けられている。このとき、一方のフィルタ体７３と他方のフィルタ体７３とを表裏反対にして重ねることにより、図７に示すように、各係合孔７５は、これら係合孔７５の一部たりとも互いに貫通しない状態の異なる位置となる。
【００６７】
このフィルタ装置２４を用いて掃除する際には、まず、フィルタ体７３を２枚、互いに表裏を逆にして重ね、フィルタ枠体３１の内側に取り付けてフィルタ装置２４を形成する。
【００６８】
このとき、一方のフィルタ体７３の係合孔７５は、他方のフィルタ体７３によりこの他方のフィルタ体７３側の開口が覆われて閉塞される。
【００６９】
この後、図１ないし図５に示す実施の形態と同様に、フィルタ装置２４をメッシュ体２５に取り付けて形成したサイクロン部２３をダストカップ２１に取り付けた後、このダストカップ２１を本体ケース２内に取り付ける。
【００７０】
そして、互いの係合孔７５を閉塞された各フィルタ体７３により、メッシュ体２５のメッシュ部５２を通過した電動送風機６の吸込風から確実に塵埃を捕捉する。
【００７１】
また、各フィルタ体７３を洗濯する際には、フィルタ枠体３１から各フィルタ体７３を取り外してそれぞれ洗濯した後、フック７１などを係合孔７５に係合させて各フィルタ体７３を吊るし、水分を乾燥させる。
【００７２】
上述したように、上記第２の実施の形態によれば、嵌合部７４の重心およびフィルタ体７３の平面視の中心を通る中心線Ｃ３の側方に係合孔７５を形成し、このフィルタ体７３を表裏逆に重ねてフィルタ枠体３１に取り付ける。このため、掃除の際には、互いに一部たりとも貫通しない状態の異なる位置に係合孔７５が位置してフィルタ体７３で吸込風から確実に塵埃を捕捉し、かつフィルタ体７３をフィルタ枠体３１から取り外して洗濯した際には、係合孔７５にフック７１などを係合させて吊るして乾燥させることで、フィルタ体７３を変形させることなく乾燥できる。
【００７３】
また、ダストカップ２１内で塵埃を遠心分離された吸込風は、メッシュ体２５のメッシュ部５２を通過した後、各フィルタ体７３の略中心域を通過するため、各係合孔７５をそれぞれフィルタ体７３の外周寄りに形成したことで、吸込風が係合孔７５の近傍を殆ど通過せず、フィルタ体７３の集塵性能の低下を防止できる。
【００７４】
さらに、各フィルタ体７３を表裏逆にして重ねて使用することにより、複数のフィルタ体７３の形状に対応した複数種類の金型を作る必要がないので、フィルタ体７３の製造コストをより低減できる。
【００７５】
そして、フィルタ体７３を表裏逆にして重ねるだけで各フィルタ体７３の係合孔７５を閉塞できるため、フィルタ枠体３１にボス４２を設ける必要がなく、フィルタ体７３を容易に取り付けできるとともに、フィルタ枠体３１をより容易に成形でき、製造コストをさらに低減できる。
【００７６】
また、フィルタ体７３の変形を抑えることができるため、フィルタ体３２の乾燥後に変形状態が維持されてこのフィルタ体７３が破損することなどを確実に防止できる。
【００７７】
次に、本発明の電気掃除機の第３の実施の形態を図８を参照して説明する。
【００７８】
この図８に示す実施の形態は、図６および図７に示す実施の形態と基本的に同様の構成を有しているが、一方のフィルタ体７３の係合孔７５は、中心線Ｃ３の側方について他方のフィルタ体７３の係合孔７５と非対称な位置に形成されている。すなわち、各フィルタ体７３の係合孔７５は、中心線Ｃ３からの距離、および、フィルタ体７３の平面視の中心からの角度が互いに異なっている。したがって、各フィルタ体７３は、係合孔７５を含めると異なる形状に形成されており、各フィルタ体７３の係合孔７５は、各フィルタ体７３の嵌合部７４を位置合わせした際に、各フィルタ体７３を表裏どのように組み合わせて重ねても、互いに一部たりとも貫通しない状態の異なる位置、すなわち重ならない位置に形成されている。
【００７９】
さらに、各フィルタ体７３はフィルタ枠体３１の内側に取り付けられる。このとき、各フィルタ体７３の嵌合部７４にフィルタ枠体３１の区画リブ３３を嵌合させて位置決めすることで、各フィルタ体７３の係合孔７５が互いに貫通しない状態の異なる位置になり、互いの係合孔７５の開口が各フィルタ体７３で閉塞される。
【００８０】
この後、図６および図７に示す実施の形態と同様に、フィルタ装置２４を用いて掃除する際には、フィルタ装置２４を本体ケース２内に取り付けて使用し、各フィルタ体７３を洗濯する際には、フィルタ枠体３１から各フィルタ体７３を取り外してそれぞれ洗濯した後、フック７１などを各フィルタ体７３の係合孔７５に係合させて吊るし、水分を乾燥させる。
【００８１】
上述したように、上記第３の実施の形態によれば、フィルタ体７３に係合孔７５を貫通して形成し、係合孔７５が互いに異なる位置になるように２枚のフィルタ体７３を重ねてフィルタ枠体３１に取り付けるなど、図６および図７に示す実施の形態と同様の構成を有することにより、図６および図７に示す実施の形態と同様の作用効果を奏することができる。
【００８２】
また、嵌合部７４の重心およびフィルタ体７３の平面視の中心を通る中心線Ｃ３について各フィルタ体７３の係合孔７５を互いに非対称な位置に形成したため、各フィルタ体７３の嵌合部７４にフィルタ枠体３１の区画リブ３３を嵌合させて位置決めすることで、フィルタ体７３をフィルタ枠体３１にどのように取り付けても各係合孔７５が同じ位置になることがない。この結果、各フィルタ体７３をフィルタ枠体３１に取り付ける際にフィルタ体７３の取り付け方向などを考慮する必要がなく、容易に取り付けできる。
【００８３】
なお、上記第３の実施の形態において、各フィルタ体７３の係合孔７５の位置は、各フィルタ体７３どうしで非対称、すなわち所定の部分を位置合わせした際に互いに重ならない位置であれば、互いに点対称でない非対称な位置である非点対称な位置になど形成してもよい。
【００８４】
また、上記第２の実施の形態および第３の実施の形態において、フィルタ体７３は３枚以上使用してもよい。この場合には、フィルタ体７３の使用枚数に応じてこれらフィルタ体７３の厚さ寸法を設定する。
【００８５】
さらに、上記各実施の形態において、電気掃除機１は、キャニスタ型のサイクロン式に限らず、例えばポット式、あるいはアップライト式など、他の様々なタイプの電気掃除機でも使用可能である。
【００８６】
そして、上記各実施の形態のフィルタ装置２４は、例えば浄化槽のポンプ、流体圧ポンプである油圧ポンプ、乾燥機、空調設備など、塵埃を捕捉する手段を要する各種設備にも使用可能である。
【００８７】
【発明の効果】
本発明によれば、掃除の際には、突部が係合孔に嵌合して閉塞されるとともにフィルタ体が枠体の所定位置に位置してフィルタ体で流動体から確実に塵埃を捕捉し、フィルタ体を枠体から取り外して洗う際には、貫通する係合孔にフックなどを係合させて吊るして乾燥させることで、フィルタ体を確実に係合できるばかりでなく、フィルタ体を変形させることなく乾燥することが可能になる。
【図面の簡単な説明】
【図１】本発明の電気掃除機の第１の実施の形態のフィルタ装置を示す斜視図である。
【図２】同上電気掃除機のフィルタ装置を示す側面断面図である。
【図３】同上電気掃除機のフィルタ装置のフィルタ体を示す斜視図である。
【図４】同上電気掃除機を示す斜視図である。
【図５】同上電気掃除機を示す断面図である。
【図６】本発明の電気掃除機の第２の実施の形態のフィルタ装置のフィルタ体を示す斜視図である。
【図７】同上電気掃除機のフィルタ装置を示す側面断面図である。
【図８】本発明の電気掃除機の第３の実施の形態のフィルタ装置を示す斜視図である。
【符号の説明】
１　　電気掃除機
３　　掃除機本体
６　　電動送風機
２４　　フィルタ装置
３１　　枠体としてのフィルタ枠体
３２，７３　　フィルタ体
４２　　突部としてのボス
４５，７５　　係合孔
【図１】
2004135797.tif 000003
【図２】
2004135797.tif 000004
【図３】
2004135797.tif 000005
【図４】
2004135797.tif 000006
【図５】
2004135797.tif 000007
【図６】
2004135797.tif 000008
【図７】
2004135797.tif 000009
【図８】
2004135797.tif 000010